(57)【要約】【課題】  比較的簡単な構成で、赤外線リモコン信号の受光素子に入射される範囲を狭くすることがない構成で高周波インバータ蛍光灯よりの光の影響がないようにすることを目的とする。【解決手段】  赤外線リモコン信号により制御されるようになされた被制御機器の赤外線リモコン信号受光装置において、この被制御機器の受光窓１２と受光素子１８と間を所定間隔とすると共にこの受光窓１２をこの受光素子１８の受光部に比較して所定の縦長とし、この受光窓１２とこの受光素子１８との間にこの受光窓１２の上部よりこの受光素子１８方向の第１の導光部１９ａを有すると共にこの受光窓１２に沿った上下方向の第２の導光部１９ｂを有する導光体１９を設けたものである。【選択図】        図１
2006086721.tif 000002
【特許請求の範囲】
【請求項１】
赤外線リモコン信号により制御されるようになされた被制御機器の赤外線リモコン信号受光装置において、前記被制御機器の受光窓と受光素子と間を所定間隔とすると共に前記受光窓を前記受光素子の受光部に比較して所定の縦長とし、前記受光窓と前記受光素子との間に前記受光窓の上部より前記受光素子方向の第１の導光部を有すると共に前記受光窓に沿った上下方向の第２の導光部を有する導光体を設けたことを特徴とする赤外線リモコン信号受光装置。
【請求項２】
請求項１記載の赤外線リモコン信号受光装置において、
前記導光体は前記受光窓より前記受光素子方向の縦断面が逆Ｌ字状であることを特徴とする赤外線リモコン信号受光装置。
【請求項３】
赤外線リモコン信号受光装置を有し、赤外線リモコン信号により制御されるようになされたテレビジョン受像機において、
前記赤外線リモコン信号受光装置の受光窓と受光素子と間を所定間隔とすると共に前記受光窓を前記受光素子の受光部に比較して所定の縦長とし、前記受光窓と前記受光素子との間に前記受光窓の上部より前記受光素子方向の第１の導光部を有すると共に前記受光窓に沿った上下方向の第２の導光部を有する導光体を設けたことを特徴とするテレビジョン受像機。
【請求項４】
請求項３記載のテレビジョン受像機において、
前記導光体は前記受光窓より前記受光素子方向の縦断面が逆Ｌ字状であることを特徴とするテレビジョン受像機。
【発明の詳細な説明】
【技術分野】
【０００１】
本発明は赤外線リモコン信号受光装置及び赤外線リモコン信号受光装置を有するテレビジョン受像機に関する。
【背景技術】
【０００２】
一般に、テレビジョン受像機等の種々の被制御機器を遠隔制御するのに赤外線リモートコントロール装置が使用されている。この赤外線リモートコントロール装置の赤外線リモートコマンダよりの赤外線リモコン信号を受光する赤外線リモコン信号受光装置としては、例えば、図８、図９に示す如く、赤外線リモコン信号により制御されるようになされたテレビジョン受像機等の被制御機器の前面の例えば前面パネル１に受光窓が設けられ、この受光窓２に入射した光を、この受光窓２の内部に設けられた受光ダイオード等の受光素子３に導光するため導光体４が設けられている。
【０００３】
この従来の導光体４はポリカーボネート、アクリル等の赤外線を透過する樹脂より成る図８、図９に示す如き、前面が受光窓２と同じ大きさ例えば横が５ｍｍ、縦が１５ｍｍとし、長さを所定長さ例えば１５ｍｍとした直方体としている。
【０００４】
この導光体４を所定長さ例えば１５ｍｍとしたのは前面より受光窓２の内部に設けた受光ダイオード等の受光素子３を見えなくするためのデザイン上の理由である。
【０００５】
ところで、図９に示す如く高周波インバータ蛍光灯が設置されている場所に近い位置において、この赤外線リモートコントロール装置を操作したときには、このテレビジョン受像機等の被制御機器の赤外線リモコン信号受光装置は赤外線リモコン信号ａの外に、この高周波インバータ蛍光灯５よりの光ｂを受光し、この高周波インバータ蛍光灯５よりの光ｂの影響を受け、赤外線リモコン信号ａが判別できない等の誤動作を生ずることがある。
【０００６】
この誤動作は、高周波インバータ蛍光灯の発光サイクルが略４０ｋＨｚであると共に赤外線リモコン信号の搬送波信号の周波数が略４０ｋＨｚで、この高周波インバータ蛍光灯５の光ｂと赤外線リモコン信号ａの搬送波信号とが互いに干渉する信号であり、また、図９に示す如くこの上方より導光体４に入射された高周波インバータ蛍光灯５の光ｂが直方体の導光体４の下面で反射し、赤外線リモコン信号ａと共に受光素子３に入射され干渉するためである。
【０００７】
そこで従来、高周波インバータ蛍光灯５の光ｂによる誤動作をすることがないようにするため、受光窓に可視光カットフィルタと赤外線の波長より長い波長を有する光をカットする干渉膜フィルタとを重畳して構成されたフィルタを装着するようにしたものが提案されている（特許文献１）。
【０００８】
また、この特許文献１には、上述の干渉膜フィルタに代えて、受光窓の前方に筒状体を設けるようにしたものが提案されている。
【特許文献１】特開平５−１２２７７４号公報
【発明の開示】
【発明が解決しようとする課題】
【０００９】
然しながら、従来の可視光カットフィルタと赤外線の波長より長い波長を有する光をカットする干渉膜フィルタとを重畳して構成されたフィルタは製造が困難であり、高価となる不都合がある。
【００１０】
また、受光窓の前方に筒状体を設けたときは、赤外線リモコン信号の受光素子に入射される範囲が筒状体により制限され、狭くなる不都合がある。
【００１１】
本発明は、斯る点に鑑み、比較的簡単な構成で、赤外線リモコン信号の受光素子に入射される範囲を狭くすることがない構成で高周波インバータ蛍光灯よりの光の影響がないようにすることを目的とする。
【課題を解決するための手段】
【００１２】
本発明赤外線リモコン信号受光装置は、赤外線リモコン信号により制御されるようになされた被制御機器の赤外線リモコン信号受光装置において、この被制御機器の受光窓と受光素子と間を所定間隔とすると共にこの受光窓をこの受光素子の受光部に比較して所定の縦長とし、この受光窓とこの受光素子との間にこの受光窓の上部よりこの受光素子方向の第１の導光部を有すると共にこの受光窓に沿った上下方向の第２の導光部を有する導光体を設けたものである。
【００１３】
本発明テレビジョン受像機は、赤外線リモコン信号受光装置を有し、赤外線リモコン信号により制御されるようになされたテレビジョン受像機において、この赤外線リモコン信号受光装置の受光窓と受光素子と間を所定間隔とすると共にこの受光窓をこの受光素子の受光部に比較して所定の縦長とし、この受光窓とこの受光素子との間にこの受光窓の上部よりこの受光素子方向の第１の導光部を有すると共にこの受光窓に沿った上下方向の第２の導光部を有する導光体を設けたものである。
【発明の効果】
【００１４】
本発明によれば、受光窓と受光素子との間にこの受光窓の上部よりこの受光素子方向の第１の導光部を有すると共にこの受光窓に沿った上下方向の第２の導光部を有する導光体を設けたので、赤外線リモートコマンダよりの赤外線リモコン信号は第１の導光部を通って受光素子に導かれ、上方からの高周波インバータ蛍光灯よりの光は受光窓に沿った上下方向の第２の導光部を通って下方に導かれ、受光素子に導かれることがなく、この赤外線リモコン信号は高周波インバータ蛍光灯の光の影響を受けることなく、被制御機器を良好に制御することができる。
【００１５】
また、本発明によれば、第１の導光部は所定長さとなされるので、受光窓の内部の受光素子等を見えなくでき、デザイン上の不都合は生じない。
【００１６】
また本発明によれば、受光窓と受光素子との間に受光窓の上部よりこの受光素子方向の第１の導光部を有すると共に受光窓に沿った上下方向の第２の導光部を有する導光体を設けた構成なので構成が比較的簡単であり、また上方よりの光を第２の導光部に導き、受光素子に導かないようにしただけなので、赤外線リモコン信号の受光素子への入射範囲を狭くすることはない。
【発明を実施するための最良の形態】
【００１７】
以下、図面を参照して本発明赤外線リモコン信号受光装置及びテレビジョン受像機を実施するための最良の形態の例につき説明する。
本例は、本例による液晶表示パネルを用いた平面型のテレビジョン受像機に本例による赤外線リモコン信号受光装置を設けたものである。
【００１８】
図２は本例による平面型のテレビジョン受像機を全体として示し、１０はキャビネット、１１はカラー液晶表示パネルである。このテレビジョン受像機は赤外線リモートコントロール装置により遠隔制御される如くなされたもので、キャビネット１０の前面の左及び右側にスピーカグリル１０Ｌ及び１０Ｒを設け、この右側スピーカグリル１０Ｒと液晶表示パネル１１との間に設けられた傾斜部１０ａの下側所定位置に赤外線リモコン信号を受光する受光窓１２を設ける。
【００１９】
この受光窓１２は、横幅が例えば５ｍｍ、縦の長さが例えば１５ｍｍの縦長の長方形である。この傾斜部１０ａの受光窓１２の上側に例えば発光ダイオードより成る電源の表示部１３、ＢＳ電源の表示部１４、オフタイマーの表示部１５、予約録画の表示部１６を設ける。
【００２０】
本例においては、図１、図３に示す如く、このキャビネット１０の右側のスピーカグリル１０Ｒと液晶表示パネル１１との間の傾斜部１０ａの下側所定位置の受光窓１２とこのキャビネット１０の内部の配線基板１７上に設けた赤外線リモコン信号を受光する受光ダイオード等の受光素子１８との間に光を受光素子１８に導光する導光体１９を設ける。
【００２１】
この場合、このテレビジョン受像機のキャビネット１０の受光窓１２の前面側と受光素子１９との間隔を所定間隔例えば１５ｍｍよりやや大とすると共にこの受光素子１８をこの受光窓１２の上側に対応する如くする。
【００２２】
この受光素子１８の受光部は例えば略３ｍｍ径であり、この受光窓１２の縦長例えば１５ｍｍに比較し、小さいものである。
【００２３】
この導光体１９は、ポリカーボネート、アクリル等の赤外線を透過する樹脂より成り、図１、図３、図４に示す如く、この導光体１９の受光窓側をこの受光窓１２に嵌合する形状例えば横幅が５ｍｍ、縦の長さを１５ｍｍとし、この受光窓１２の上部に対応する部分よりこの受光素子１８方向に光を導光する角柱状の第１の導光部１９ａを設けると共にこの受光窓１２に沿った上下方向の角柱状の第２の導光部１９ｂを設ける。
【００２４】
この第１の導光部１９ａの長さは受光窓１２の前面より受光素子１８までの所定長さ例えば１５ｍｍとし、この第１の導光部１９ａの受光素子１８に対応する端面の縦の長さを所定長例えば５ｍｍとし、この端面を５ｍｍ平方とする。
【００２５】
またこの第２の導光部１９ｂの受光素子１８方向の長さを、上方よりの高周波インバータ蛍光灯５よりの光ｂが、この第１の導光部１９ａの下面で反射しない程度の長さで、且つこの第２の導光部１９ｂで導光される長さ例えば５ｍｍとする。
【００２６】
この場合、本例においては、この導光体１９の受光窓１２より受光素子１８方向の縦断面は図１、図４に示す如く逆Ｌ字状となる如く形成する。
【００２７】
本例においては、この逆Ｌ字状の導光体１９を図１、図３に示す如く、この導光体１９の第２の導光部１９ｂ側を受光窓１２に嵌合すると共にこの導光体１９の前面とカラー液晶表示パネル１１の前面とスピーカグリル１０Ｌ，１０Ｒの前面とが面一になる如く固定する。
【００２８】
この場合、この導光体１９の第１の導光部１９ａの受光素子側端面と受光素子１８との間隔を略１〜２ｍｍとする。
【００２９】
本例は上述の如く、テレビジョン受像機のキャビネット１０の前面の受光窓１２と受光素子１８との間にこの受光窓１２の上部よりこの受光素子１８方向の第１の導光部１９ａを有すると共にこの受光窓１２に沿った上下方向の第２の導光部１９ｂを有する導光体１９を設けたので、赤外線リモートコマンダよりの赤外線リモコン信号ａは図４、図５に示す如く、第１の導光部１９ａを通って受光素子１８に導かれ、上方からの高周波インバータ蛍光灯５よりの光ｂは図６に示す如く受光窓１２に沿った上下方向の第２の導光部１９ｂを通って下方に導かれ、受光素子１８に導かれることがなく、この赤外線リモコン信号ａは高周波インバータ蛍光灯５の光ｂの影響を受けることなく、テレビジョン受像機を良好に制御することができる。
【００３０】
また、この場合、受光窓１２（導光体１９）の正面及び左右斜め横（左右３０°以内）から入射される光（赤外線リモコン信号）ａ，ａ１，ａ２は図５に示す如く従来同様にこの第１の導光部１９ａにより導光され受光素子１８に入射される。
【００３１】
また、本例によれば、第１の導光部１９ａは所定長さ例えば１５ｍｍとなされるので、受光窓１２の内部の受光素子１８等を見えなくでき、デザイン上の不都合は生じない。
【００３２】
また本例によれば、受光窓１２と受光素子１８との間に受光窓１２の上部よりこの受光素子１８方向の第１の導光部１９ａを有すると共に受光窓１２に沿った上下方向の第２の導光部１９ｂを有する導光体１９を設けた構成なので構成が比較的簡単であり、また上方よりの光ｂを第２の導光部１９ｂに導き、受光素子１８に導かないようにしただけなので、赤外線リモコン信号の受光素子１８への入射範囲を狭くすることはない。
【００３３】
また、図７Ａ及びＢは夫々導光体１９の変形例を示す。図７Ａ例は図１、図４例に示す導光体１９の第１の導光部１９ａを上端部よりやや下側に下げたもので、斯る図７Ａに示す導光体１９を使用しても上述列同様の作用効果が得られることは容易に理解できよう。
【００３４】
また図７Ｂ例は図１、図４例に示す導光体１９の第２の導光部１９ｂの下端部を受光素子１８方向に折り曲げて延長するようにしたもので、斯る図７Ｂに示す導光体１９を使用しても上述例同様の作用効果が得られることは容易に理解できよう。
【００３５】
尚、上述例では導光体１９の第１及び第２の導光部１９ａ及び１９ｂを角柱状とした例につき述べたが、その他の形状であっても良いことは勿論である。
【００３６】
また、上述例は本発明をテレビジョン受像機に適用した例につき述べたが、本発明を赤外線リモコン信号により制御されるようになされたその他の被制御機器に適用できることは勿論である。
【００３７】
また、本発明は上述例に限ることなく本発明の要旨を逸脱することなくその他種々の構成が採り得ることは勿論である。
【図面の簡単な説明】
【００３８】
【図１】本発明赤外線リモコン信号受光装置を実施するための最良の形態の例を示す要部の縦断面図である。
【図２】本発明赤外線リモコン信号受光装置を有するテレビジョン受像機を実施するための最良の形態の例を示す正面図である。
【図３】図２の要部の横断面図である。
【図４】本発明の要部の例を示す斜視図である。
【図５】本発明の説明に供する要部の例の斜視図である。
【図６】本発明の説明に供する要部の例の斜視図である。
【図７】本発明の要部の他の例を示す斜視図である。
【図８】従来の赤外線リモコン信号受光装置の例を示す要部の縦断面図である。
【図９】従来例の説明に供する要部の斜視図である。
【符号の説明】
【００３９】
１０‥‥キャビネット、１１‥‥カラー液晶表示パネル、１２‥‥受光窓、１８‥‥受光素子、１９‥‥導光体、１９ａ‥‥第１の導光部、１９ｂ‥‥第２の導光部
【図１】
2006086721.tif 000003
【図２】
2006086721.tif 000004
【図３】
2006086721.tif 000005
【図４】
2006086721.tif 000006
【図５】
2006086721.tif 000007
【図６】
2006086721.tif 000008
【図７】
2006086721.tif 000009
【図８】
2006086721.tif 000010
【図９】
2006086721.tif 000011